【手続補正書】
【提出日】平成15年10月1日(2003.10.1)
【手続補正１】
【補正対象書類名】明細書
【補正対象項目名】００３８
【補正方法】変更
【補正の内容】
【００３８】
ところで、図３に予備加熱用バーナ３８および４０として用いられる酸素富化燃焼バーナの一実施例の模式図およびフローを示す。なお、本発明に用いられる酸素富化燃焼バーナはこれに限定されるわけではない。
図３に示すように、本発明の予備加熱用バーナ３８（４０）として用いられる酸素富化燃焼バーナ（以下、燃焼バーナとする）５０は、バーナ前板５２の後部中心に燃料供給部５４と、後部側面に空気供給部５６とを有し、バーナ前板５２の前方に設けられる円筒状火口５８と、火口５８の中心に向かって斜め前方から酸素を噴出するように設けられた酸素吹込ノズル６０とを有する。燃焼バーナ５０は、後部で燃料供給部５４から供給された燃料ガス、例えば都市ガス１３Ａなどと、空気供給部５６から供給された空気とを混合して火口５８から噴出させて、もしくは燃料ガスを火口の中心から空気をその周囲から噴出させて燃焼させるとともに酸素吹込ノズル６０から酸素を吹き込んで燃料ガスの燃焼を促進し、燃焼ガスの温度を上げるものである。


【手続補正２】
【補正対象書類名】明細書
【補正対象項目名】００３９
【補正方法】変更
【補正の内容】
【００３９】
ここで、燃料ガスを燃焼バーナ５０の燃料供給部５４に供給する燃料ライン６２は、図示しない燃料供給源と、燃料ガスの圧力を減圧調整する圧力調整器（ガバナー）６３Ｆと、燃料ガスの流量を計測する燃料ガス流量計（圧力発信器）６４Ｆと、燃料ガスの温度を計測する燃料ガス温度計６６Ｆと、燃料ガスの流量の調整を行う燃料ガスコントロール弁６８Ｆと、燃料ガスの圧力を計測する燃料ガス圧力計７０Ｆと、これらを接続する配管とを有する燃料供給ライン６２ａと、燃料ライン６２から圧力調整器６３Ｆと流量計６４Ｆとの間で分岐し、燃料ガスの流量調整を行う燃料ガスコントロール弁６８Ｆと、フレキシブルホース７２と、燃焼バーナ５０に点火するための先端の点火トーチ７４と、これらを接続する配管とを有する点火ライン６２ｂとで構成される。図中点線で示されているように、流量計６４Ｆ、温度計６６Ｆ、コントロール弁６８Ｆおよび圧力計７０Ｆは電気的に接続され、流量計６４Ｆや圧力計７０Ｆおよび温度計６６Ｆで燃料ガスの流量、圧力および温度を計測し、計測された流量、圧力および温度を用いて計算機で計算を行って、必要（または指定）流量の燃料ガスが燃料供給ライン６２ａに流れるように、コントロール弁６８Ｆで燃料ガスの流量が制御される。


【手続補正３】
【補正対象書類名】明細書
【補正対象項目名】００４０
【補正方法】変更
【補正の内容】
【００４０】
また、空気を燃焼バーナ５０の空気供給部５６に供給する空気供給ライン７６は、ファン７８と、空気の流量を計測する空気流量計６４Ａと、空気の温度を計測する空気温度計６６Ａと、空気の流量調整を行う空気コントロール弁６８Ａと、空気の圧力を計測する空気圧力計７０Ａと、これらを接続する配管とで構成される。図中点線で示されているように、流量計６４Ａ、温度計６６Ａ、コントロール弁６８Ａ、圧力計７０Ａは電気的に接続され、流量計６４Ａや圧力計７０Ａおよび温度計６６Ａによって空気の流量、圧力および温度を計測し、計測された流量、圧力および温度から計算機で計算を行って、必要（または指定）流量の空気が空気供給ライン７６を流れるようにコントロール弁６８Ａで空気の流量が制御される。
さらに、酸素富化燃焼を行うために酸素吹込ノズル６０に酸素を供給する酸素供給ライン８０は、図示しない酸素供給源と、酸素の圧力を減圧調整する圧力調整器６３Ｏと、酸素の流量を計測する酸素流量計６４Ｏと、酸素の温度を計測する酸素温度計６６Ｏと、酸素の流量調整を行う酸素コントロール弁６８Ｏと、酸素の圧力を計測する酸素圧力計７０Ｏと、これらを接続する配管とで構成される。図中点線で示されているように、流量計６４Ｏ、温度計６６Ｏ、コントロール弁６８Ｏおよび圧力計７０Ｏは電気的に接続され、流量計６４Ｏや圧力計７０Ｏおよび温度計６６Ｏで酸素の流量、圧力および温度を計測し、計測された流量、圧力および温度から計算機で計算して、必要（または指定）流量の酸素が酸素供給ライン８０を流れるように、コントロール弁６８Ｏで酸素の流量が制御される。


【手続補正４】
【補正対象書類名】明細書
【補正対象項目名】００４１
【補正方法】変更
【補正の内容】
【００４１】
このように構成される燃焼バーナ５０においては、予め燃料ライン６２の点火ライン６２ｂの燃料ガスコントロール弁６８Ｆを開いて点火トーチ７４から燃料ガスを流出させ、点火しておく。燃料ライン６２の燃料供給ライン６２ａから燃料ガスコントロール弁６８Ｆによって開放され、流量調整され、燃料供給部５４に供給される燃料ガスと、空気供給ライン７６から空気コントロール弁６８Ａによって流量調整され、空気供給部５６に供給される空気と、を火口５８に噴出させて、先に点火されている点火ライン６２ｂの点火トーチ７４によって点火する。こうして点火された燃焼バーナ５０の火口５８の中心に酸素供給ライン８０から酸素コントロール弁６８Ｏによって開放され、流量調整された酸素を酸素吹出ノズル６０から噴出させて、燃焼バーナ５０における燃料を酸素富化燃焼させる。
このようにして、燃焼バーナ５０における酸素吹込ノズル６０から噴出させる酸素流量を１０〜２０％程度の酸素を富化した空気による燃焼となるように、酸素コントロール弁６８Ｏによって調整し、燃焼バーナ５０の燃焼ガスの温度を１５００〜１６００℃程度に調整する。


【手続補正５】
【補正対象書類名】明細書
【補正対象項目名】００４９
【補正方法】変更
【補正の内容】
【００４９】
また、図１および２ならびに図４に示す実施例においては、減圧脱泡装置１０および８２自体に温度低下した溶融ガラスＧの加熱装置を備えていないものであるが、本発明はこれに限定されず、装置内に加熱装置を備えたものであってもよい。
例えば、図５に示す減圧脱泡装置８４のように、減圧ハウジング１２内の上昇管１６および下降管１８の外周に加熱装置、例えば電気ヒータ８６などを巻回するよう設けてもよい。


【手続補正６】
【補正対象書類名】明細書
【補正対象項目名】図面の簡単な説明
【補正方法】変更
【補正の内容】
【図面の簡単な説明】
【図１】本発明に係る溶融ガラスの減圧脱泡装置の一実施例の定常運転時における概略断面図である。
【図２】図１に示す溶融ガラスの減圧脱泡装置の予備加熱時における概略断面図である。
【図３】図２に示す減圧脱泡装置に用いられる予備加熱用バーナの一実施例およびそのフローの概略を示すフローシートである。
【図４】本発明の溶融ガラスの減圧脱泡装置の他の実施例の予備加熱時における概略断面図を示す。
【図５】本発明の溶融ガラスの減圧脱泡装置の他の実施例の予備加熱時における概略断面図を示す。
【図６】従来技術の減圧脱泡装置の一例を示す概略断面図を示す。
【符号の説明】
１０，８２，８４，１１０  減圧脱泡装置
１２，１１２  減圧ハウジング
１２ａ，１２ｂ  脚部
１２ｃ  吸引口
１４，１１４  減圧脱泡槽
１４ａ，１４ｂ  吸引孔
１６，１１６  上昇管
１８，１１８  下降管
２０，１２０  溶解槽
２２，１２２  上流側ピット
２３，２５  カバー
２４，１２４  下流側ピット
２６，２８  延長管
３０，１３０  断熱材
３４  ドラフト管
３６  蓋
３８，４０  予備加熱用バーナ
４２  排気用煙突
４４  ドラフトコントロール用バーナ
４６  エアノズル
４８  ダンパ
５０  酸素富化燃焼バーナ
５２  バーナ前板
５４  燃料供給部
５６  空気供給部
５８  火口
６０  酸素吹込ノズル
６２  燃料ライン
６２ａ  燃料供給ライン
６２ｂ  点火ライン
６３Ｆ，６３Ｏ  圧力調整器（ガバナー）
６４Ｆ，６４Ａ，６４Ｏ  流量計（圧力発信器）
６６Ｆ，６６Ａ，６６Ｏ  温度計
６８Ｆ，６８Ａ，６８Ｏ  コントロール弁
７０Ｆ，７０Ａ，７０Ｏ  圧力計
７２  フレキシブルホース
７４  点火トーチ
７６  空気供給ライン
７８  ファン
８０  酸素供給ライン
８６  加熱装置
Ｇ  溶融ガラス